(57)【要約】【課題】畳職人としての経験を有しない人でも簡単且つ確実に、畳表の張り替えを綺麗に行うことができる畳縁体を得る。【解決手段】 細長の縁下紙２０とこれを覆うように装着される縁布３０を重ね合わせて成り、前記縁布３０の表面の１／３幅に両面テープ１１を貼着し、前記縁布３０の裏面に、前記両面テープ１１の貼着位置から最遠側に一定幅の折り込み縁布部３１を残存させるように縁下紙を装着し、前記縁下紙２０の幅方向に、前記両面テープ１１の貼着部に対応する基部２１と、該基部に連設し基部と同じ幅の重ね合わせ部２２と、前記重ね合わせ部に連設し前記基部より前記折り込み縁布部３１だけ幅狭となる折り込み部２３をそれぞれ設けて成ることで、縁下紙２０を縁布３０で覆った表面端に両面テープ１１を貼着しているので、両面テープ１１部分を畳表の端縁に合わせて固定することができる。【選択図】    図３
2006002546.tif 000002
【特許請求の範囲】
【請求項１】
細長の縁下紙とこれを覆うように装着される縁布１４を重ね合わせて構成する一方、
前記縁布の表面の１／３幅に両面テープを貼着し、
前記縁布の裏面に、前記両面テープの貼着位置から最遠側に一定幅の折り込み縁布部を残存させるように縁下紙を装着し、
前記縁下紙の幅方向に、前記両面テープの貼着部に対応する基部と、該基部に連設し基部と同じ幅の重ね合わせ部と、前記重ね合わせ部に連設し前記基部より前記折り込み縁布部だけ幅狭となる折り込み部をそれぞれ設けた
ことを特徴とする畳縁体。
【請求項２】
基部と重ね合わせ部との間、及び、重ね合わせ部と折り込み部との間に、縁布側が突状となる山折り目を設けたことを特徴とする請求項１に記載の畳縁体。
【請求項３】
細長の縁下紙とこれを覆うように装着される縁布１４を重ね合わせて構成する一方、
前記縁下紙は、長手方向に沿って形成された二つの山折り目を有することで、幅方向に、基部と、該基部と同じ幅の重ね合わせ部と、前記基部より幅狭の折り込み部をそれぞれ形成するとともに、
前記縁布は前記折り込み部の内側に回り込み可能なように、折り込み部の外側位置までの幅を有し、
前記基部を覆う縁布上に両面テープを貼着して成る
ことを特徴とする畳縁体。
【請求項４】
前記基部の山折り目側に、山折り目に直交する位置に間隔を空けて複数の釘打ち込み印を設けた請求項２又は請求項３に記載の畳縁体。
【発明の詳細な説明】
【技術分野】
【０００１】
本発明は、畳床に新たな畳表を張り替える場合に際して、畳表に装着される畳縁体に関し、特に畳表への装着を容易且つ確実に行うことができる畳縁体の構造に関する。
【背景技術】
【０００２】
部屋に敷設される畳は、畳床の表面を畳表で覆い、両側の長手辺に畳縁を装着して構成されている。畳床への畳表の固定は、図５に示すように、畳床１の一方側の長手辺１ａに、畳表２を直線的に切断した側を合わせ、畳表２の両端を引っ張りながら畳床１の側面から下端まで巻き込み、コ字形などの釘３を一定間隔に打ち込むことで行われる。そして、図６に示すように、畳表の長手辺に沿って直線的に畳縁４が装着されるようになっている。
畳を取り替える場合には、畳床１に張付けられる畳表２及び畳縁４を張り替えることで行われる。
【０００３】
従来、畳床１に畳表２を張り替えする場合、畳における長手辺に縁布のみから成る畳縁４を直線的に取り付けることは、永年の経験を有する職人でないと綺麗に行うことができなかった。
【０００４】
そこで近年、畳職人としての経験を有しない人でも簡単に、しかも、正確できれいに畳表の張り替えのできる畳縁用縁下紙が提案されている。
この畳縁用縁下紙は、図７に示されるように、縁布１１１と細長の縁下紙１１４を重ね合わせてなる畳縁１３１において、縁下紙１１４を幅方向におよそ４等分して折り込み部１３４、芯部１３５、重ね合わせ部１３６及び折り込み部１３７とし、折り込み部１３４と芯部１３５の間に山折り目１２５を形成し、芯部１３５と重ね合わせ部１３６の間及び重ね合わせ部１３６と折り込み部１３７の間にそれぞれ谷折り目１２４を形成するとともに、折り込み部１３４と芯部１３５を山折り目１２５で山折りとしたときの山折り目部分を畳表２の端縁に合わせて定規代わりとすることで、正確且つ綺麗に畳縁１３１を装着することができるというものである（特許文献１参照）。
【特許文献１】特開２０００−３４８２４
【発明の開示】
【発明が解決しようとする課題】
【０００５】
しかしながら、上記構造によれば、畳縁用縁下紙１１４に形成した山折り目１２５を畳表２の端縁に合わせて定規代わりとするので、山折り目１２５を畳縁用縁下紙１１４の正確な位置に確実に設ける必要があり、山折り目１２５の位置が正確でないと畳縁１３１が綺麗に装着できないという問題点があった。
また、山折り目１２５を畳表２の端縁に合わせた後に、釘３などで畳縁用縁下紙１１４を固定するに際して、畳縁用縁下紙１１４がずれる場合があり、綺麗に仕上げるには注意が必要であるという問題点があった。
【０００６】
本発明は、本発明は上記実情に鑑みてなされたもので、畳職人としての経験を有しない人でも簡単且つ確実に、畳表の張り替えを綺麗に行うことができる畳縁体を提供することを目的とするものである。
【課題を解決するための手段】
【０００７】
上記目的を達成するため請求項１の畳縁体１０は、 細長の縁下紙２０とこれを覆うように装着される縁布３０を重ね合わせて成り、次の構成を含むことを特徴としている。
前記縁布３０の表面の１／３幅に両面テープ１１を貼着する。
前記縁布３０の裏面に、前記両面テープ１１の貼着位置から最遠側に一定幅の折り込み縁布部３１を残存させるように縁下紙を装着する。
前記縁下紙２０の幅方向に、前記両面テープ１１の貼着部に対応する基部２１と、該基部に連設し基部と同じ幅の重ね合わせ部２２と、前記重ね合わせ部に連設し前記基部より前記折り込み縁布部３１だけ幅狭となる折り込み部２３をそれぞれ設ける。
【０００８】
請求項２の畳縁体１０は、請求項１において、基部２１と重ね合わせ部２２との間、及び、重ね合わせ部２２と折り込み部２３との間に、縁布側が突状となる山折り目２４，２５を設けたことを特徴としている。
【０００９】
請求項３の畳縁体１０は、 細長の縁下紙２０とこれを覆うように装着される縁布３０を重ね合わせてなる畳縁体１０において、次の構成を含むことを特徴としている。
前記縁下紙２０は、長手方向に沿って形成された二つの山折り部２４，２５を有することで、幅方向に、基部２１と、該基部と同じ幅の重ね合わせ部２２と、前記基部より幅狭の折り込み部２３をそれぞれ形成する。
前記縁布３０は前記折り込み部２３の内側に回り込み可能なように、折り込み部２３の外側位置までの幅を有する。
前記基部２１を覆う縁布３０上に両面テープ１１を貼着して成る。
【００１０】
請求項４の畳縁体は、請求項２又は請求項３において、前記基部２１の山折り目２４側に、山折り目２４に直交する位置に間隔を空けて複数の釘打ち込み印２６を設けたことを特徴としている。
【発明の効果】
【００１１】
本発明の畳縁体１０によれば、縁下紙２０を縁布３０で覆った表面端に両面テープ１１を貼着しているので、両面テープ１１部分を畳表の端縁に合わせて固定することができ、畳表の正確な位置に畳縁体を装着することができ、畳職人としての経験を有しない人でも簡単且つ綺麗に畳表の張り替えをすることができる。
【００１２】
また、上記構成によれば、基部２１に山折り目２４に直交する釘打ち込み印２６を設けているので、畳縁体１０を畳表２に固定するに際して打ち込む釘を畳表２の網目に沿って装着することができる。
【発明を実施するための最良の形態】
【００１３】
本発明に係る畳縁体に関する実施の形態の一例について、図１及び図２を参照しながら説明する。図１は本発明に係る畳縁体の平面図、図２は裏面図である。
【００１４】
畳縁体１０は、図１及び図２の上下方向に細長い縁下紙２０と、これを覆うように装着される縁布３０を重ね合わせて構成されている。
縁下紙２０は、畳縁体１０の取り扱いを容易にするため設けられたものであり、幅方向が８５ｍｍの厚紙などが用いられる。この縁下紙２０には、図２に示すように、右側一端縁から、３０ｍｍ、３２ｍｍの幅の位置に山折り目２４、山折り目２５がそれぞれ形成され、右側より基部２１、重ね合わせ部２２、折り込み部２３を設けている。そして、基部２１部分に両面テープ１１が貼着されている。
また、縁布３０は、折り込み部２３側の辺に、折り込み縁布部３１分だけはみ出すように縁下紙２０に装着されている。
【００１５】
縁下紙２０は、縁布３０に対して、図２に示されるようにその左側において、１０ｍｍ幅程度の折り込み縁布部３１を設ける（前記両面テープの貼着位置から最遠側に一定幅の折り込み縁布部３１を残存させる）ように縁布３０の裏面側に装着されている。
また、縁下紙１４の基部２１における山折り目２４側には、山折り目２４に直交する位置に一定間隔を空けて複数の釘打ち込み印２６が印刷により設けられている。
【００１６】
したがって、縁下紙２０は、その幅方向に、両面テープ１１の貼着部に対応する基部２１と、この基部２１に連設し基部２１と同じ幅の重ね合わせ部２２と、この重ね合わせ部２２に連設し前記基部２１より前記折り込み縁布部だけ幅狭となる折り込み部２３をそれぞれ設けた構成となっている。
【００１７】
縁布１１には、幅が９５〜１００ｍｍの木綿布、麻布、化学繊維布などが用いられる。
そして、縁布３０の表面側の前記基部２１に対応する位置に両面テープ１１を貼着することで、縁布３０全体幅の１／３幅が両面テープ１１で被覆されている。
【００１８】
両面テープ１１は、両面に粘着材を有するシートの両面に保護シートを有して成るものを使用し、その一方側の保護シートを剥がすことで表れる粘着面を縁布３０に貼着する。両面テープ１１の他方の保護シートは、畳縁体１０を畳表２に装着する際に剥がし、畳表２との固定に使用する。
【００１９】
次に、上記構造の畳縁体１０を使用して畳み張り替えを行う場合の手順について、図３及び図４を参照しながら説明する。
先ず、１畳に相当する大きさの畳床１と畳表２を用意する。畳床１は、例えば、藁を圧縮したもの、厚さ２０ｍｍ程度の発泡スチロール板の上下面に、厚さ１５ｍｍ程度の木材のチップを圧縮した軟質パーチクル板を重ね合わせ、さらに最下面にシートを積層して全体を縫製したもの、等を使用する。
【００２０】
畳床１に張付けられる畳表２は、天然い草を畳糸で縫製したものであり、厚さは、通常２．５ｍｍ程度である。この畳表２の大きさは、図５に示したように、畳床２の両端から下端まで巻き込めるような長さを有している。また、幅方向は、手前側を直線的に切断し、奥側が畳床１の端より長く形成し、辺を覆うように（点線部分）構成されている。
【００２１】
畳床１に畳表２を張付ける場合、図５に示すように、畳床１の手前側に畳表２を直線的に切断した側を合わせ、畳表２の両端を引っ張りながら畳床１の側面から下端まで巻き込み、コ字形などの釘３を一定間隔で打ち込むことで畳床１に対して畳表２を固定する。
【００２２】
次に、畳表２の手前側の辺に畳縁体１０を取り付ける。先ず、畳縁体１０を取り付けるに際して、前記両面テープ１１の保護シートを剥がし、表れた粘着面を畳表２の一辺に沿って押し付けることで、畳縁体１０と畳表２とを固定する。この時、粘着面は縁下紙２０の基部２１の設けられているので、粘着面を畳表２の一辺に容易に位置合わせすることができ、畳表２に対して畳縁体１０の基部２１とを正確な位置で固定できる。
縁下紙２０に印刷されている釘打ち込み印２６に沿ってコ字状の釘を専用の打ち込み機（図示せず）で打ち込み、畳縁体１０の基部２１を畳表２に頑固に固定する。この釘２４は、金属、プラスチックなどで幅１５〜１６ｍｍ、長さ２２〜２５ｍｍ程度のコ字形に形成されたものを使用する。
【００２３】
釘打ち込み印２６は、基部２１に山折り目２４に直交するよう印刷されているので、畳縁体１０を畳表２に固定するに際して打ち込む釘を畳表２の網目に沿って装着することができる。
従来例（図７）では、釘３は網目を跨ぐように装着していたので、畳縁体１０の表側を触った場合に釘の存在により違和感があったが、本例では畳表の網目に沿うように配置することで従来例に比較して違和感を減少させることができる。
【００２４】
続いて、図４に示すように、畳縁体１０を山折り目２４で折り込むことで、基部２１と重ね合わせ部２２を密着させて基部２１上に重ね合わせ部２２を位置させ、更に畳縁体１０を山折り目２５で折り込み縁布部３１を折り込み部２３内側に位置させ、折り込み部２３の表面側からコ字状の釘を打ち込み機で打ち込むことで、畳縁体１０を畳表２側に完全に固定する。
【００２５】
上記構成の畳縁体１０によれば、縁下紙２０を縁布で覆った表面端に両面テープ１１を貼着しているので、両面テープ１１部分を畳表２の縁に合わせて固定することができ、畳表２の正確な位置に畳縁体１０を装着することができ、畳職人としての経験を有しない人でも簡単且つ綺麗に畳表２の張り替えをすることができる。
【図面の簡単な説明】
【００２６】
【図１】本発明の実施の形態の一例の畳畳縁体の平面説明図である。
【図２】図１の畳縁体の裏面説明図である。
【図３】畳縁体を畳表に装着する状態を説明するための斜視説明図である。
【図４】畳縁体を畳表に装着する状態を説明するための正面説明図である。
【図５】畳表を畳床に装着する状態を説明するための斜視説明図である。
【図６】従来の畳みを示す斜視説明図である。
【図７】従来の畳縁用縁下紙を畳表に装着する状態を説明するための斜視説明図である。
【符号の説明】
【００２７】
１  畳床
２  畳表
３  釘
１０  畳縁体
１１  両面テープ
２０  縁紙体
２１  基部
２２  重ね合わせ部
２３  折り込み部
２４  山折り目
２５  山折り目
３０  縁布
３１  折り込み縁布部
【図１】
2006002546.tif 000003
【図２】
2006002546.tif 000004
【図３】
2006002546.tif 000005
【図４】
2006002546.tif 000006
【図５】
2006002546.tif 000007
【図６】
2006002546.tif 000008
【図７】
2006002546.tif 000009